(57)【要約】【課題】組電池システムにおける断線異常を好適に判定することができる組電池システムを提供する。【解決手段】複数の電池セル１１が直列接続されて構成された組電池を備える組電池システム１０は、複数の電池セルの各電極にそれぞれ接続された電圧検出用の配線部１２と、配線部に接続され各電池セルの両電極間の電圧をセル電圧として検出する電圧検出手段２０と、配線部において電池セルに並列に設けられ抵抗体とコンデンサを有してなるフィルタ回路１３と、配線部に接続され前記コンデンサの放電を可能とする放電回路２３と、所定時間ごとに、該所定時間よりも短い所定の放電期間で放電回路２３によりコンデンサの放電を実施する放電制御手段４０と、放電制御手段による放電により生じる電圧検出手段による検出電圧の変化に基づいて、配線部の断線異常を判定する異常判定手段４０と、を備えている。【選択図】      図１
2014219277.tif 000002
【特許請求の範囲】
【請求項１】
複数の電池セル（１１）が直列接続されて構成された組電池（１０）と、
前記複数の電池セルの各電極にそれぞれ接続された電圧検出用の配線部（１２）と、
前記配線部に接続され各電池セルの両電極間の電圧をセル電圧として検出する電圧検出手段（２０）と、
前記配線部において前記電池セルに並列に設けられ抵抗体とコンデンサを有してなるフィルタ回路（１３）と、
前記配線部に接続され前記コンデンサの放電を可能とする放電回路（２３）と、
所定時間ごとに、該所定時間よりも短い所定の放電期間で前記放電回路により前記コンデンサの放電を実施する放電制御手段（４０）と、
前記コンデンサの放電により前記電圧検出手段による検出電圧が変化する場合に、その変化に基づいて前記配線部の断線異常を判定する異常判定手段（４０）と、を備えることを特徴とする組電池システム。
【請求項２】
前記電圧検出手段は、所定の検出周期で前記セル電圧を検出しかつＡ／Ｄ変換するＡ／Ｄ変換手段（２２）を有しており、
前記放電制御手段は、前記検出周期に対してｎ倍（ｎは自然数）の周期で前記放電を実施する請求項１に記載の組電池システム。
【請求項３】
前記異常判定手段は、前記コンデンサの放電により変化した前記検出電圧が所定の異常判定値を超えた場合に、前記配線部に断線異常が生じていると判定するものであり、
前記異常判定値は、前記放電制御手段による前記コンデンサの放電が複数回実施されることにより到達可能な値として定められている請求項１又は２に記載の組電池システム。
【請求項４】
前記配線部に断線異常が生じている場合において前記検出電圧が前記異常判定値に達する以前に、前記検出電圧が、前記異常判定値よりも小さい電圧変化を判定するための仮判定値に達したことを判定する仮判定手段（４０）を備え、
前記放電制御手段は、前記検出電圧が前記仮判定値に達したと判定された後に、前記コンデンサの放電の実施期間を長くするまたは前記コンデンサの放電の周期を短くする請求項３に記載の組電池システム。
【請求項５】
前記異常判定手段は、前記所定時間を１周期として実施される前記コンデンサの放電に際し、複数回の前記コンデンサの放電で連続して前記検出電圧の変化が生じる場合に、前記配線部に断線異常が生じていると判定する請求項１又は２に記載の組電池システム。
【請求項６】
前記放電制御手段は、前記電池セルの充放電の状態に応じて前記放電の周期または期間を可変とする請求項１〜５のいずれか１項に記載の組電池システム。
【請求項７】
前記放電制御手段は、前記電池セルの充電率に基づいて、前記放電の周期又は期間を可変にする請求項１〜６のいずれか１項に記載の組電池システム。
【発明の詳細な説明】
【技術分野】
【０００１】
本発明は、複数の電池セルを直列接続して構成される組電池を備え、各電池セルの電圧検出に用いられる配線の断線を検出する組電池システムに関する。
【背景技術】
【０００２】
複数の充放電可能な二次電池（電池セル）が直列接続されて構成された組電池を備える組電池システムには、各電池セルの充放電状態を監視するために、セル電圧を検出する電圧検出装置が設けられており、電池セルが過充電状態となることを回避している。そのため電池セルと電圧検出装置とを接続する配線（電圧検出線）に断線異常が生じると、電池セルの電圧が正しく検出されなくなり、電池セルの過充電状態が引き起こされるおそれがある。そこで、各電池セルのセル電圧の検出結果に基づいて、配線の断線異常が検出されている。
【０００３】
なおセル電圧の電圧変動の影響を抑えるために、各電池セルの電圧検出線にはＲＣ回路（ローパスフィルタ）が接続されている。また、このＲＣ回路のコンデンサに電荷が蓄えられていると、断線検出を正確に実施できないことから、断線検出を行う際にコンデンサの電荷を放電させるものが知られている（特許文献１参照）。
【０００４】
具体的には、断線が生じている場合には、ＲＣ回路のコンデンサの放電を実施することにより電圧検出装置の検出電圧が減少変化し、その検出電圧が所定の判定値以下になる。これにより、断線異常であることを判定できる。ただしコンデンサ放電を実施する場合には、正常か異常かにかかわらず各電池セルの端子間電圧に影響が及び、各電池セルの電圧を適正値に維持できなくなる等の不都合が考えられる。そのため、コンデンサ放電の実施、すなわち断線検出の実施にはその実施時期に制約が必要となる。この場合、システムの起動直後や停止処理中等に限定して、断線検出が実施されることが提案されている。
【先行技術文献】
【特許文献】
【０００５】
【特許文献１】特開２０１２−１７２９９２号公報
【発明の概要】
【発明が解決しようとする課題】
【０００６】
上述の従来技術では、システムの起動直後や停止処理中に限って断線異常を判定する構成となっており、組電池システムの通常の動作中（例えば充放電中）に断線が発生しても、その断線発生の旨を判定できないと考えられる。そのため、断線が発生した電圧検出線に接続されている電池セルが過充電の状態になることが懸念される。
【０００７】
本発明は、上記課題を解決するためになされたものであり、その目的は組電池システムにおける断線異常を好適に判定することができる組電池システムを提供することにある。
【課題を解決するための手段】
【０００８】
請求項１に記載の発明では、複数の電池セルが直列接続されて構成された組電池と、前記複数の電池セルの各電極にそれぞれ接続された電圧検出用の配線部と、前記配線部に接続され各電池セルの両電極間の電圧をセル電圧として検出する電圧検出手段と、前記配線部において、前記電池セルに並列に設けられ抵抗体とコンデンサを有してなるフィルタ回路と、前記配線部に接続され前記コンデンサの放電を可能とする放電回路と、所定時間ごとに、該所定時間よりも短い所定の放電期間で前記放電回路により前記コンデンサの放電を実施する放電制御手段と、前記放電制御手段による放電により生じる伴う前記電圧検出手段による検出電圧の変化に基づいて、前記配線部の断線異常を判定する異常判定手段と、を備えることを特徴とする。
【０００９】
上記発明では、電池セルの動作中に、所定の放電期間でセル電圧の変化が生じるかどうかを監視して、そのセル電圧の変化に基づいて断線異常の有無を判定する。この場合、断線異常が生じていなければ、コンデンサ放電を行っても電圧変化は生じない。これに対して、断線異常が生じていれば、コンデンサ放電に伴い電圧変化が生じる。そのため断線判定が可能である。ここでコンデンサ放電が実施される場合には、１回ごとの放電期間が限られているため、電池セルが過剰に放電されることはない。この場合、コンデンサ放電による電圧変動が抑えられるため、断線異常の判定はいつでも実施可能である。
【図面の簡単な説明】
【００１０】
【図１】組電池システムの説明図である。
【図２】断線検出処理のフローチャートである。
【図３】断線検出処理を説明するためのタイミングチャートである。
【図４】断線検出処理の変容例のフローチャートである。
【図５】充電率と放電周期との相関関係の説明図である。
【図６】断線検出処理の変容例を説明するためのタイミングチャートである。
【図７】断線検出処理の変容例を説明するためのタイミングチャートである。
【発明を実施するための形態】
【００１１】
以下、本発明に係る組電池システムの一実施形態について、図面を参照しつつ説明する。なお本実施形態の組電池システムは、周知の車両に搭載され、例えば車両の走行時に駆動モータを駆動するために放電され、回生時には駆動モータの回生電力によって充電される。
【００１２】
図１において、組電池システムは、組電池１０、電圧検出用の配線部１２、フィルタ回路１３、電圧検出装置２０、ＣＰＵ４０から構成されている。
【００１３】
組電池１０は、例えば複数個の電池セル１１が直列接続されることで構成されている。図１ではｍ個（Ｂ１〜Ｂｍ）の電池セル１１が直列接続された例を示している。なお電池セル１１は二次電池であり、リチウムイオン蓄電池、リチウムイオンポリマー蓄電池、ニッケル水素蓄電池、ニッケルカドミウム蓄電池等の周知のものが使用される。
【００１４】
配線部１２は、各電池セル１１の電極（符号略）と電圧検出装置２０とを接続して、各電池セル１１の電極の電位を、電圧検出装置２０に伝達するものである。図１では配線部１２は、ｍ＋１本（Ｄ１〜Ｄｍ＋１）の配線を有し、各配線は各電池セル１１の電極にそれぞれ接続されている。なおＤ１が組電池１０の正極端子に接続され、Ｄｍ＋１が組電池１０の負極端子（接地ライン）に接続されている。
【００１５】
フィルタ回路１３は、各電池セル１１のセル電圧Ｖａの変動分を平滑化するものであり、抵抗体ＲとコンデンサＣのＲＣ回路（ローパスフィルタ）で構成されている。ＲＣ回路は各配線に個別に設けられており、抵抗体Ｒは各配線に介在され、コンデンサＣは、一端が抵抗体Ｒと電圧検出装置２０との間に接続され、他端がＤｍ＋１（接地ライン）に接続される。
【００１６】
電圧検出装置２０は、マルチプレクサ２１と、Ａ／Ｄ変換器２２と、放電回路２３とを備えている。マルチプレクサ２１は、Ａ／Ｄ変換器２２と配線部１２の各配線との電気的な接続状態を切り換えるものであって、トランジスタ等の半導体スイッチで構成されている。なお図１では、２つのスイッチ２１ａ、２１ｂを例示している。
【００１７】
Ａ／Ｄ変換器２２は、Ａ／Ｄ変換器２２と電気的に接続された各配線にかかる電圧を取得する。そして電池セル１１の正極側の電極と負極側の電極に接続されている２つの配線の電位差から、各電池セル１１の端子間電圧（セル電圧Ｖａ）を求め、デジタル信号に変換してＣＰＵ４０に出力するものである。
【００１８】
放電回路２３は、各配線に接続されているコンデンサＣの電荷を放電するための回路であり、スイッチ２３ａと定電流源２３ｂとからなる直列回路（放電部）を２組備えている。具体的には、スイッチ２３ａがマルチプレクサ２１側に接続され、定電流源２３ｂが接地ラインに接続されている。また２組のスイッチ２３ａと定電流源２３ｂのうち、一方は、Ａ／Ｄ変換器２２のプラス側の入力端子と接地ラインとに接続され、他方は、Ａ／Ｄ変換器２２のマイナス側の入力端子と接地ラインとに接続されている。放電回路２３の各スイッチ２３ａがオンになると、Ａ／Ｄ変換器２２に電気的に接続されたコンデンサＣの電荷が、定電流源２３ｂを介して放電される。この定電流源２３ｂによって、コンデンサＣの放電時における電圧変化量（変化率）が調整される。例えば放電回路２３では、２組の放電部により２つずつコンデンサＣが同時に放電されるようになっている。
【００１９】
ＣＰＵ４０は、図示を略すＲＯＭ、ＲＡＭ等を備え、ＲＯＭ等に記憶されたプログラムに従って各種制御を実施する。例えば放電制御手段として、コンデンサＣの放電を制御する。また異常判定手段として、コンデンサＣの放電により生じる検出電圧の変化に基づいて、配線部１２の断線異常を判定する。
【００２０】
次に、ＣＰＵ４０が実行する処理の手順を示す。なお以下の処理は、ＣＰＵ４０の通電中に、所定の周期で繰り返し実行されるとする。
【００２１】
図２において、ステップＳ０１で、電池セル１１のセル電圧Ｖａを検出するタイミングであるか否かを判定する。例えば前回の電圧検出からの経過時間が、所定の電圧検出の周期Ｔａ（例えばＴａ＝１００ｍｓ）に一致しているか否かによって、セル電圧Ｖａの検出タイミングであるかを判定する。セル電圧Ｖａの検出タイミングであると肯定判定した場合には、ステップＳ０２に進み、全電池セル１１に対するセル電圧Ｖａを検出する。具体的には、マルチプレクサ２１により電圧検出対象の電池セル１１を切り替えながら、全電池セル１１のセル電圧Ｖａを１つずつ検出する。
【００２２】
続くステップS０３では、ステップS０１で取得された全電池セル１１のセル電圧Ｖａのうち、異常判定値（閾値）Ｖｔｈ以下のものがあるか否かを判定する。全セル電圧Ｖａが閾値Ｖｔｈよりも大きい場合、ステップＳ０５に進み、配線部１２に断線異常はないと判定する。一方、セル電圧Ｖａが閾値Ｖｔｈ以下の電池セル１１があると判定した場合には、ステップＳ０４に進み、配線部１２に断線異常があると判定する。
【００２３】
一方、ステップＳ０１で否定判定した場合には、ステップＳ０７でコンデンサＣの放電を行うタイミングか否かを判定する。例えばＣＰＵ４０は、セル電圧Ｖａの検出処理が行われてから所定時間ΔＴの経過後に、所定の放電の実施周期（放電周期）ＴｂでコンデンサＣの放電を実行する。本実施形態では、放電周期Ｔｂは、コンデンサＣの放電タイミングとセル電圧検出タイミングが一致しないように、周期Ｔａと同じ時間に設定されている。否定判定した場合には、本処理を一旦終了する。肯定判定した場合には、ステップＳ０８に進み、全コンデンサＣに対する放電処理を行う。具体的には、マルチプレクサ２１により放電対象のコンデンサＣを切り換えながら、全てのコンデンサＣについて放電を実施する。このとき所定の放電の実施期間（放電期間）ΔＴｂにおいて、放電回路２３のスイッチ２３ａをオンにして、定電流源２３ｂに接続されたコンデンサＣの放電を、所定の放電の実施期間（放電期間）ΔＴｂ実施する。なお放電期間ΔＴｂは、コンデンサＣの放電周期Ｔｂよりも短く設定されている。
【００２４】
次に図３に上記処理の実行例を示す。なお以下の説明において、セル電圧Ｖａの検出処理は周期Ｔａ＝１００ｍｓで繰り返され、コンデンサＣの放電処理は、セル電圧Ｖａの検出が行われてから所定時間ΔＴ＝５０ｍｓの経過後に、放電周期Ｔｂ（＝Ｔａ）＝１００ｍｓで繰り返し行われるとする。また放電が行われる放電期間ΔＴｂ＝１ｍｓとする。つまり図３では、セル電圧の検出動作とコンデンサ放電の動作が交互に実施される。また、図３には断線が生じた電池セル１１のセル電圧と、断線が生じていない電池セル１１のセル電圧とを示しており、断線ありの電池セル１１では、時刻ｔｘで断線が生じたとしている。なお断線異常を判定するための異常判定値は、定電流源２３ｂによるコンデンサ放電が、複数回（例えば１０回）実施されることにより到達可能な値として定められているとする。
【００２５】
時刻ｔ１で電圧検出タイミングとなると、各電池セル１１のセル電圧Ｖａが検出される。ここではＣＰＵ４０によって各セル電圧Ｖａは閾値Ｖｔｈよりも大きいと判定される。時刻ｔ２でコンデンサＣが放電されるタイミングとなると、配線部１２の各配線に接続されたコンデンサＣの放電が放電期間ΔＴｂ行われる。なお時刻ｔ２では、配線部１２に断線は生じておらず、コンデンサＣは配線部１２を介して電池セル１１と電気的に接続されており、放電と同時に電池セル１１によって充電される。つまり、コンデンサ放電によるセル電圧Ｖａの低下分は、電池セル１１の充電によって吸収される。そのため、次の時刻ｔ３の電圧検出タイミングでは、時刻ｔ１と同程度のセル電圧Ｖａが検出される。
【００２６】
時刻ｔｘとなり、ある配線（例えば図１のＤ３）に断線が生じ、その後の時刻ｔ４の放電タイミングでコンデンサ放電が行われると、断線していない配線が接続されている電池セル１１（Ｂ１、Ｂ４〜Ｂｍ）のセル電圧Ｖａは変化しない。一方、正極側の配線に断線が生じている電池セル１１（Ｂ３）のセル電圧ＶａはΔＶ低下する（低下量＝ΔＶ）。配線に断線が生じた場合、コンデンサＣと電池セル１１とが電気的に切り離されるので、コンデンサ放電の際に、電池セル１１による充電がされなくなるため、コンデンサ電圧が変化し、これに伴い、検出されるセル電圧Ｖａが変化する。
【００２７】
その後、時刻ｔ５の電圧検出タイミングでセル電圧Ｖａが検出され、時刻ｔ６でコンデンサ放電が繰り返される。この場合、断線していない配線が接続されている電池セル１１のセル電圧Ｖａは、コンデンサ放電に伴う変化が生じないのに対して、断線が生じている配線が接続された電池セル１１（Ｂ３）のセル電圧Ｖａは、コンデンサ放電が繰り返されることによって電圧ΔＶずつ減少する。そして時刻ｔ７の電圧検出タイミングで、断線が生じている配線に接続された電池セル（Ｂ３）のセル電圧Ｖａが、閾値Ｖｔｈ以下と判定されると、断線異常が検出される。
【００２８】
上記によれば以下の優れた効果がある。
【００２９】
（１）電池セル１１の動作中に、所定の放電期間でコンデンサＣを放電し、セル電圧Ｖａの変化が生じるかどうかを監視して、その電圧変化に基づいて断線異常の有無を判定する。この場合、断線異常が生じていなければ、コンデンサ放電を行っても電圧変化は生じない。これに対して、断線異常が生じていれば、コンデンサ放電に伴い電圧変化が生じる。そのため断線判定が可能である。ここでコンデンサ放電が実施される場合には、１回ごとの放電期間が限られているため、電池セルが過剰に放電されることはない。この場合、コンデンサ放電による電圧変動が抑えられるため、断線異常の判定はいつでも実施可能である。なお放電周期Ｔｂを、電圧検出の周期Ｔａと同じ時間とすることで、電圧検出とコンデンサ放電とのタイミングが一致することを抑制することが可能となる。
【００３０】
（２）断線異常を判定するための異常判定値は、コンデンサＣの放電が複数回実施されることにより到達可能な値として定められており、言うなれば、コンデンサ放電の１回当たりの電圧変化量が小さめに設定されている。そのため、電池セル１１が正常な場合にその電池セル１１に及ぼす影響が小さく、各電池セル１１における不要な電圧変動を抑制できる。
【００３１】
以下、別例を説明する。なお上述で説明した構成と同じ構成には同じ図番号を付して、相違点を主に説明する。
【００３２】
・電圧検出の周期Ｔａに対して、放電周期Ｔｂを２倍以上（ただし自然数倍）としてもよい。組電池１０の動作制御においては、セル電圧Ｖａの検出に比べて、断線検出は補助的な役割を持つ。そこで、電圧検出の周期Ｔａに対して、放電周期Ｔｂを長く設定することによって、コンデンサ放電による電力消費を抑えつつ、断線検出を行うことができる。また、コンデンサ放電の実施周期を、Ａ／Ｄ変換周期の２倍以上とすれば、電圧検出手段による電圧検出に対して、コンデンサ放電が行われる回数が抑えられるので、組電池の電力消費を抑えつつ断線異常を判定できる。また放電制御手段によるコンデンサＣの放電周期を、電圧検出手段による電圧の検出周期のｎ倍（ｎは自然数）とすることで、電圧検出のタイミングとコンデンサ放電のタイミングとが一致することを抑制することが可能となる。
【００３３】
・電池セル１１の充放電の状態に応じて、コンデンサＣの放電周期Ｔｂ又は放電期間ΔＴｂを可変してもよい。つまり電池セル１１の充電中は過充電となる可能性が高くなり、また断線が生じた際の影響も比較的に大きくなる。そこで電池セル１１の充電中に断線異常判定する場合には、コンデンサＣの放電周期Ｔｂを短くして断線検出の頻度を高くしたり、コンデンサＣの放電期間ΔＴｂを長くしたりすることで、電池セル１１が過充電となることを回避しやすくできる。一方、電池セル１１の放電中は過充電となる可能性が低くなるので、電池セル１１の放電中に断線異常判定をする際には、コンデンサＣの放電周期Ｔｂを長くしたり、コンデンサの放電期間ΔＴｂを短くしたりすることで、コンデンサ放電に伴う電力消費を抑えることができる。
【００３４】
例えば、図４に断線検出処理のフローチャートの変容例において、ＣＰＵ４０は、ステップＳ０７でコンデンサ放電タイミングであると判定した際に、ステップＳ１０で電池セル１１が充電中であるか否かを判定する。肯定判定した場合には、ステップＳ１１でコンデンサＣの放電周期を短く設定する（Ｔｂ１＜Ｔｂ）。または放電期間を長く設定する（ΔＴｂ１＞ΔＴｂ）。否定判定した場合には、ステップＳ１２でコンデンサＣの放電周期を長く設定する（Ｔｂ２＞Ｔｂ）。または、放電期間を短く設定する（ΔＴｂ２＜Ｔｂ）。続くステップＳ０８では、ステップＳ１１又はステップＳ１２のいずれかで設定された放電周期（放電期間）に基づいて、コンデンサＣの放電処理を実行する。
【００３５】
なお電池セル１１の放電中は、安定動作の維持のためにより電力消費が抑えられることが求められる。そこでステップＳ１０で否定判定された場合に、電池セル１１の放電中であるか、充放電の停止中であるかを判定して、放電中と判定された際に、さらに放電周期を長く設定する（又はさらに放電期間を短く設定する）ようにしてもよい。
【００３６】
・組電池１０（電池セル１１）の充電率（ＳＯＣ）に基づいて、コンデンサＣの放電周期Ｔｂ又は放電期間ΔＴｂを変えてもよい。電池セル１１の充電率が低い場合には、断線が生じたとしても過充電状態となる可能性が比較的低い。また充電率が低い場合には、電力がより効率よく使われることが求められる。この場合には、断線異常判定の際のコンデンサＣの放電周期Ｔｂを長くしたり、放電期間ΔＴｂを短くしたりすることで、電力消費をより抑えることができる。一方、電池セル１１の充電率が高い場合には、断線によって過充電状態となる可能性が高くなり、また過充電状態となった際の影響も比較的大きくなる。そこでこの場合には、コンデンサＣの放電周期Ｔｂを短くしたり、放電期間ΔＴｂを長くしたりする。これにより、断線異常判定が積極的に行われるようにすることで、電池セル１１が過充電となることを回避しやすくできる。例えば図５に示される関係を用いて、充電率に基づいてコンデンサＣの放電周期Ｔｂ（または放電期間ΔＴｂ）を決定できる。
【００３７】
・コンデンサ放電に伴う電池セル１１の電圧変化が検出された場合には、その後に行うコンデンサＣの放電周期Ｔｂを短くする又は放電期間ΔＴｂを長くしてもよい。例えば、図６に示されるように、電池セル１１の電圧変化が、異常判定値（閾値）Ｖｔｈに達する以前に、電池セル１１の異常判定値よりも小さい電圧変化を判定するための仮判定値Ｖｔｈａを設定する。そして電池セル１１の電圧変化が仮判定値Ｖｔｈａを超えることが検出された際に、その後のコンデンサの放電周期Ｔｂ２を短くする（Ｔｂ２＜Ｔｂ）。ただしこの場合のコンデンサの放電周期Ｔｂ２は、コンデンサＣの放電タイミングとセル電圧検出タイミングが重ならない周期とする。または、コンデンサＣの放電期間ΔＴｂが長く設定されてもよい（ただしこの場合のコンデンサＣの放電期間ΔＴｂがセル電圧検出タイミングに重ならない期間とする）。つまり、コンデンサ放電に伴う電池セルの電圧変化が検出された場合には、断線異常の可能性がある。この場合に、コンデンサ放電の実施期間を長くして１回当たりの放電量を増加させるか、周期を短くしてコンデンサ放電が行われる頻度を高くすることで、早期に断線異常を判定できる。なおコンデンサＣの放電周期Ｔｂを短くすることに合わせて、電圧検出の周期Ｔａも短く設定されることで、より早期に断線異常が検出されるようにしてもよい。
【００３８】
・コンデンサ放電に伴うセル電圧の低下が、連続して検出された場合には、セル電圧の低下の連続回数の検出結果に基づいて、断線異常を判定できる。
【００３９】
・電池セル１１の充電時に、セル電圧Ｖａの低下が繰り返し発生した際に、断線異常があると判定してもよい。
【００４０】
・上記ではセル電圧Ｖａと下限値（閾値Ｖｔｈ）との比較によって、断線検出を行う例を示したが、セル電圧Ｖａと上限値（第2閾値Ｖｔｈ2）との比較によって、断線異常を判定してもよい。図７に示されるように、電池セル１１（例えば図１のＢ２）の負極側に接続されている配線（Ｄ３）が断線した場合、コンデンサ放電に伴い電池セル１１（Ｂ２）のセル電圧Ｖａは次第に上昇する。この場合、セル電圧Ｖａが第2閾値Ｖｔｈ2以上であると判定した際に、その電池セル１１の負極側に接続されている配線に断線異常があると判定してもよい。
【００４１】
・上記では、１回の放電期間ΔＴｂで全コンデンサＣのコンデンサ放電が行われる例を示した。これ以外にも１回の放電期間ΔＴｂで、一つのコンデンサＣが放電されてもよい。または電池セル１１を複数のユニットから構成し、ユニット毎にコンデンサ放電の時期が切り換えられてもよい。
【符号の説明】
【００４２】
１０…組電池、１１…電池セル、１３…フィルタ回路、２０…電圧検出装置、２２…Ａ／Ｄ変換器、２３…放電回路、４０…ＣＰＵ。
【図１】
2014219277.tif 000003
【図２】
2014219277.tif 000004
【図３】
2014219277.tif 000005
【図４】
2014219277.tif 000006
【図５】
2014219277.tif 000007
【図６】
2014219277.tif 000008
【図７】
2014219277.tif 000009